(57)【要約】【課題】美観を損なうようなことがなく格子部材を堅固に組み付けることができ、耐用性にも優れた面格子を提供する。【解決手段】上部と下部に横軸桿挿通孔６を設けた多数の縦格子部材２と、各縦格子部材２が上部及び下部の横軸桿挿通孔６を介して嵌め込まれる上部及び下部横軸桿３，３と、各横軸桿３に縦格子部材２と交互に嵌め込まれ、隣り合う縦格子部材２，２どうしを一定間隔に保持する多数の鞘管４と、各横軸桿３の両端に夫々取り付けられ、各横軸桿３の端部に嵌め込まれた鞘管４ｏを保持する端部固定金具５とからなる。【選択図】図３
2009024332.tif 000002
【特許請求の範囲】
【請求項１】
上部と下部に横軸桿挿通孔を設けた多数の縦格子部材と、各縦格子部材が上部及び下部の横軸桿挿通孔を介して嵌め込まれる上部横軸桿及び下部横軸桿と、各横軸桿に縦格子部材と交互に嵌め込まれ、隣り合う縦格子部材どうしを一定間隔に保持する多数の鞘管と、各横軸桿の両端に夫々取り付けられ、各横軸桿の端部に嵌め込まれた鞘管を保持する端部固定金具とからなることを特徴とする面格子。
【請求項２】
各縦格子部材は、見付け寸法が小さく、奥行き寸法の大きい扁平板状に形成されたもの からなることを特徴とする請求項１に記載の面格子。
【請求項３】
上下部各横軸桿はアルミ押出形材からなるもので、各横軸桿の両端に夫々取り付けられる端部固定金具は、金具外面から横軸桿のビスホールにねじ込まれるビスにより横軸桿の端面に固定されるようになっていることを特徴とする請求項１又は２に記載の面格子。
【請求項４】
手摺支柱間に請求項１〜３の何れかに記載の面格子を横架してなる手摺りであって、角筒状に形成された各手摺支柱の内側面の上下所定箇所に夫々外側からボルトがねじ込み可能なナットを固着し、前記面格子の上下各横軸桿の端部に取り付けてある端部固定金具を、手摺支柱の外側面のナット対応箇所にボルトをねじ込むことによって手摺支柱に取り付けることを特徴とする手摺り。
【請求項５】
各手摺支柱の内側面の上下所定箇所に固着されるナットはブラインドナットからなることを特徴とする請求項４に記載の手摺り。
【発明の詳細な説明】
【技術分野】
【０００１】
本発明は、面格子及びこの面格子を用いたベランダ等の手摺りに関する。
【背景技術】
【０００２】
面格子の従来技術として、特許公報等の公知文献を具体的に挙げることはできないが、従来の面格子は一般に、上下の横桟に多数の縦格子部材を一定間隔で掛け渡して、各縦格子部材の上下両端部を上下の横桟に対しビス止めすることによって組み付け形成されている。
【発明の開示】
【発明が解決しようとする課題】
【０００３】
上記のような従来の面格子の組み付け構造では、各縦格子部材の上下両端部を上下の横桟に対しビスをねじ込んで取り付けるようにしているため、ビスの頭が露呈して外観上の体裁が悪く、美観を損い、また取り付けたビスが緩んでくると、縦格子部材がガタツキを生じるといった問題があった。
【０００４】
本発明は、上記の課題に鑑み、美観を損なうようなことがなく格子部材を堅固に組み付けることができ、耐用性にも優れた面格子を提供することを目的とする。
【課題を解決するための手段】
【０００５】
上記課題を解決するための手段を、後述する実施形態の参照符号を付して説明すると、請求項１に係る発明の面格子は、上部と下部に横軸桿挿通孔６を設けた多数の縦格子部材２と、各縦格子部材２が上部及び下部の横軸桿挿通孔６を介して嵌め込まれる上部及び下部横軸桿３，３と、各横軸桿３に縦格子部材２と交互に嵌め込まれ、隣り合う縦格子部材２，２どうしを一定間隔に保持する多数の鞘管４と、各横軸桿３の両端に夫々取り付けられ、各横軸桿３の端部に嵌め込まれた鞘管４ｏを保持する端部固定金具５とからなることを特徴とすることを特徴とする。
【０００６】
請求項２は、請求項１に記載の面格子において、各縦格子部材２は、見付け寸法ａが小さく、奥行き寸法ｂの大きい扁平板状に形成されたものからなることを特徴とする。
【０００７】
請求項３は、請求項１又は２に記載の面格子において、上下部各横軸桿３はアルミ押出形材からなるもので、各横軸桿３の両端に夫々取り付けられる端部固定金具５は、金具外面から横軸桿３のビスホール３ａにねじ込まれるビスにより横軸桿３の端面に固定されるようになっていることを特徴とする。
【０００８】
請求項４は、手摺支柱８，８間に請求項１〜３の何れかに記載の面格子１を横架してなる手摺りであって、角筒状に形成された各手摺支柱８の内側面の上下所定箇所に夫々外側からボルト１４がねじ込み可能なナット１５を固着し、前記面格子１の上下各横軸桿３の端部に取り付けてある端部固定金具５を、手摺支柱８の外側面のナット１５対応箇所にボルト１４をねじ込むことによって手摺支柱８に取り付けることを特徴とする手摺り。
【０００９】
請求項５は、請求項４に記載の手摺りに記載の手摺りにおいて、各手摺支柱８の内側面の上下所定箇所に固着されるナット１５はブラインドナットからなることを特徴としている。
【発明の効果】
【００１０】
上記解決手段による発明の効果を、後述する実施形態の参照符号を付して説明すると、請求項１に係る発明の面格子によれば、組立てにあたり、上下両横軸桿３，３の夫々一端に端部固定金具５を取り付けた後、これら上下両横軸桿３，３に対し、鞘管４（端部鞘管４ｏを含む）と縦格子部材２とを交互に嵌め込んでいって、最後に上下両横軸桿３，３の夫々他端に端部固定金具５を取り付けるようにすればよいから、縦格子部材２と横軸桿３との組み付けにビスを一切使用せず、従ってビスが露呈することがないため美観が損なわれることがなく、外観上の体裁、見栄えが良好となる一方、組立作業が迅速に行えて、面格子の製作が容易となると共に、縦格子部材２と横軸桿３との組み付けが堅固で、耐用性に優れたものになる。
【００１１】
また、この面格子によれば、縦格子部材２として、薄くて前後幅の広い奥行きのある部材を使用することができるから、遮蔽効果を発揮できて、プライバシーを有効に保護できながら、通気性も良好で、デザイン的にも良好な面格子となる。
【００１２】
請求項２に係る発明によれば、面格子１を構成する各縦格子部材２は、見付け寸法が小さく、奥行き寸法の大きい扁平板状に形成されたものからなるため、遮蔽効果をより一層発揮することができると共に、優れた意匠効果を発揮することができる。
【００１３】
請求項３に係る発明によれば、各横軸桿３の両端に夫々取り付けられる端部固定金具５は、金具外面から横軸桿３のビスホール３ａにねじ込まれるビスにより横軸桿３の端面に固定されるようになっているから、横軸桿３の端部に対する端部固定金具５の取付けが簡単容易となる。
【００１４】
請求項４に係る発明の手摺りは、手摺支柱８，８間に請求項１〜３の何れかに記載の面格子１を横架してなるもので、角筒状に形成された各手摺支柱８の内側面の上下所定箇所に夫々外側からボルト１４がねじ込み可能なナット１５を固着し、前記面格子１の上下各横軸桿３の端部に取り付けてある端部固定金具５を、手摺支柱８の外側面のナット１５対応箇所にボルト１４をねじ込むことにより手摺支柱８に取り付けることができるから、手摺りの施工が簡単容易となり、施工費の低減化を図ることができる。
【００１５】
請求項５に係る発明の手摺りのように、各手摺支柱８の内側面の上下所定箇所に固着されるナット１５としてブラインドナットを使用すれば、摺支柱８の内側面へのナット１５の取付が容易となり、手摺り施工費の一層の低減化を図ることができる。
【発明を実施するための最良の形態】
【００１６】
以下に本発明の好適な一実施形態を図面に基づいて説明すると、図１は本発明に係る面格子１を備えたベランダの手摺りの正面図、図２は図１のＸ−Ｘ線拡大断面図、図３は図１のＹ−Ｙ線拡大断面図、図４ は図３のＺ−Ｚ線拡大断面図である。この面格子１は、上部と下部とに横軸桿挿通孔６を設けた多数の縦格子部材２と、各縦格子部材２が上部及び下部の横軸桿挿通孔６を介して嵌め込まれる上部及び下部の横軸桿３，３と、各横軸桿３に縦格子部材２と交互に嵌め込まれ、隣り合う縦格子部材２，２どうしを一定間隔に保持する多数の鞘管４と、上下部各横軸桿３の両端に夫々取り付けられ、上下部各横軸桿３の端部に嵌め込まれた鞘管４ｏを保持する端部固定金具５とからなるもので、ベランダの室外縁部に立設された左右に対向する手摺支柱８，８間に横架されている。９は手摺支柱８，８の上端部に架け渡された手摺笠木である。
【００１７】
各縦格子部材２はアルミ押出形材からなるもので、見付け寸法ａ（図３参照）が例えば１５ｍｍ、奥行き寸法ｂ（図３参照）が例えば９０ｍｍ、長さが例えば１０００ｍｍの中空扁平板状に形成されている。そして、各縦格子部材２の上部と下部には夫々内径が例えば３５ｍｍの横軸桿挿通孔６が穿設されている。尚、各縦格子部材２の上下端部には図２に示すようにプラスチック製のキャップ１０が嵌着されている。
【００１８】
各横軸桿３は、外径が例えば３４．５ｍｍの円筒状のアルミ押出形材からなるもので、各縦格子部材２の横軸桿挿通孔６に挿通可能となっている。また各横軸桿３の内側には、図２及び図３に示すように、軸方向全長に延びるビスホール３ａが周方向一定間隔おきに、例えば周方向９０°間隔おきに４つ設けられている。
【００１９】
各鞘管４は、内径が横軸桿３の外径（３４．５ｍｍ）より僅かに大きく且つ外径が縦格子部材２の横軸桿挿通孔６の内径（３５ｍｍ）より大きい３８ｍｍである円筒状のアルミ押出形材からなるもので、隣り合う縦格子部材２，２の間隔に相当する、例えば５０ｍｍの長さに切断されている。図６の(a) は鞘管４を示す正面図、(b) は側面図である。尚、図１，図３において、上下部各横軸桿３の端部に嵌め込まれる鞘管を４ｏで示す。また、この端部に嵌め込まれる鞘管４ｏは、隣り合う縦格子部材２，２間に嵌め込まれる鞘管４よりも端部固定金具５の厚み分だけ短く形成されている。
【００２０】
各端部固定金具５は、図５の(a) ，(b) に示すように、鋼板によって縦長矩形状に形成されたもので、その中央部側には横軸桿３のビスホール３ａに対応する位置に複数のビス挿通孔１２が設けられ、また上端部と下端部にはこの端部固定金具５を手摺支柱８に対してボルト止めするためのボルト挿通孔１３が設けられている。このボルト挿通孔１３は、上下に長い長孔に形成されている。
【００２１】
各手摺支柱８は図３に示すように角筒状に形成されたアルミ押出形材からなるもので、各手摺支柱８の内側面には上下各横軸桿３のボルト取付箇所に対応する箇所に、外側からボルト１４をねじ込みできるようにナット１５が取付け固定されている。このナット１５はブラインドナットからなるもので、ナットカシメ工具によって、手摺支柱８の外側から圧入して支柱８の内側に突出するように取り付けられる。このナット１５としては、ナット取付箇所が手摺支柱８の開口端部に近いところであれば、普通のナットを溶接によって取り付けできないこともないが、取付箇所が手摺支柱８の内部になると、溶接では極めて困難となるため、ブラインドナットが最適である。
【００２２】
次に、上記のような構成部材からなる面格子１を組立方法について図７及び図８を中心に他の図を参照しながら説明する。
【００２３】
先ず、図７の(a) に示すように上下部各横軸桿３の一端に端部固定金具５をビス１１で取り付ける。この取付けにあたっては、端部固定金具５の中心部を各横軸桿３の一端面に当接させた状態で、ビス１１を端部固定金具５のビス挿通孔１２から横軸桿３のビスホール３ａにねじ込んで締め付ければよい。
【００２４】
こうして一端に端部固定金具５を取り付けた横軸桿３に、反対側の端部から端部側鞘管４ｏを図７の(b) に示すように嵌め込んで、この一端側の端部固定金具５に当接させる。その後、図７の(c) に示すように、縦格子部材２を、上下の横軸桿挿通孔６，６を介して横軸桿３，３に嵌め込んで、同図(c) の仮想線図示のように端部固定金具５に押し付け、それから鞘管４を横軸桿３，３に嵌め込んで縦格子部材２に押し付ける。以降は同じ様にして、上下両横軸桿３，３に対し、鞘管４と縦格子部材２とを交互に嵌め込んでいく。
【００２５】
しかして、図８の(a) に示すように、上下各横軸桿３の反対側端部に嵌め入れた端部鞘管４ｏの後端面と横軸桿３の端面とが面一となるような状態で、その横軸桿３の端面に反対側の端部固定金具５を当て付けて、端部固定金具５のビス挿通孔１２（図５参照）からビス１１を横軸桿３のビスホール３ａにねじ込んで締め付けることにより、面格子１の組立を完了する。
【００２６】
上記のようにした組み立てた面格子１は、上下各横軸桿３の両端部に取り付けた端部固定金具５，５を、図１に示すように対向する手摺支柱８，８の対向側面に夫々ボルト１４で取付け固定する。この場合、各手摺支柱８は、図３に示すように角筒状のアルミ押出形材からなるもので、各手摺支柱８の内側面には上下各横軸桿３のボルト取付箇所に対応する位置箇所にブラインドナット１５がカシメにより取付け固定されている。従って、各横軸桿３の端部固定金具５を取り付けるには、図８の(b) に示すように、端部固定金具５を手摺支柱８に当接させた状態で、ボルト１４を、端部固定金具５のボルト挿通孔１３から手摺支柱８の内側に取り付けてあるブラインドナット１５にねじ込んで締め付けるだけでよい。
【００２７】
端部固定金具５を手摺支柱８にボルト１４止めするためのナットとしては、ナットの取付箇所が角筒状手摺支柱８の開口端部に近いところであれば、溶接により取付けできないこともないが、手摺支柱８の内方側では溶接できないため、ブラインドナット１５が最適である。
【００２８】
こうして手摺支柱８，８間に面格子１を横架した後、両手摺支柱８，８の上端部間に手摺笠木９を取り付けることにより、ベランダ手摺りの設置を完了することができる。尚、手摺笠木９は、図２に示すように、夫々アルミ押出型材製の笠木基枠９ａとこれに係嵌可能に被嵌されるカバー９ｂとからなるもので、手摺支柱８への取付けにあたっては、笠木基枠９ａ側からビス１６を手摺支柱８のビスホール８ａ（図３参照）にねじ込んで取り付けた後、この笠木基枠９ａにカバー９ｂを係嵌すればよい。
【００２９】
以上説明した実施形態の手摺りの面格子１は、上部と下部に横軸桿挿通孔６を設けた多数の縦格子部材２と、各縦格子部材２が上部及び下部の横軸桿挿通孔６を介して嵌め込まれる上部及び下部横軸桿３，３と、各横軸桿３に縦格子部材２と交互に嵌め込まれ、隣り合う縦格子部材２，２どうしを一定間隔に保持する多数の鞘管４と、各横軸桿３の両端に夫々取り付けられ、各横軸桿３の端部に嵌め込まれた鞘管４ｏを保持する端部固定金具５とからなるもので、組立てにあたっては、上下両横軸桿３，３の夫々一端に端部固定金具５を取り付けた後、これら上下両横軸桿３，３に対し、鞘管４（端部鞘管４ｏを含む）と縦格子部材２とを交互に嵌め込んでいって、最後に上下両横軸桿３，３の夫々他端に端部固定金具５を取り付けるようにしているから、縦格子部材２と横軸桿３との組み付けにビスを一切使用せず、従ってビスが露呈することがないため美観が損なわれることがなく、外観上の体裁、見栄えが良好になり、また組立作業が迅速に行えて、面格子の製作が容易となると共に、縦格子部材２と横軸桿３との組み付けが堅固で、耐用性に優れた面格子１を提供することができる。
【００３０】
また、この面格子１は、上記のような縦格子部材２と横軸桿３との組み付け構造であって、縦格子部材２としては、薄くて前後幅の広い奥行きのある部材を使用することができるから、遮蔽効果を十分に発揮できて、プライバシーを有効に保護できながら、通気性が良く、その上にデザイン的にも良好となる。特に、実施形態の面格子１を構成する各縦格子部材２は、見付け寸法が小さく、奥行き寸法の大きい扁平板状に形成されたものからなるため、遮蔽効果をより一層発揮することができると共に、優れた意匠効果を発揮することができる。
【００３１】
また、この面格子１の上下部各横軸桿３はアルミ押出形材からなるもので、各横軸桿３の両端に夫々取り付けられる端部固定金具５は、金具外面から横軸桿３のビスホール３ａにねじ込まれるビスにより横軸桿３の端面に固定されるようになっているから、横軸桿３の端部に対する端部固定金具５の取付けが簡単容易となる。
【図面の簡単な説明】
【００３２】
【図１】本発明に係る面格子を備えた手摺りの正面図である。
【図２】図１のＸ−Ｘ線拡大断面図である。
【図３】図１のＹ−Ｙ線拡大断面図である。
【図４】図３のＺ−Ｚ線拡大断面図である。
【図５】(a) は端部固定金具の正面図、(b) は(a) のＶ−Ｖ線断面図である。
【図６】(a) は鞘管の正面図、(b) は側面図である。
【図７】(a) ，(b) は面格子の組立方法を示す説明図である。
【図８】(a) 〜(c) は図７に続く組立方法を示す説明図である。
【符号の説明】
【００３３】
１          面格子
２          縦格子部材
３          横軸桿
４          鞘管
５          端部固定金具
６          横軸桿挿通孔
【図１】
2009024332.tif 000003
【図２】
2009024332.tif 000004
【図３】
2009024332.tif 000005
【図４】
2009024332.tif 000006
【図５】
2009024332.tif 000007
【図６】
2009024332.tif 000008
【図７】
2009024332.tif 000009
【図８】
2009024332.tif 000010